(57)【要約】【課題】  遊技場に効率よく設置することが可能であり、遊技者の歩行や遊技場の清掃等の妨げとなることを抑制することが可能な喫煙ブース付遊技機島及びこれが配置された遊技場を提供する。【解決手段】  背板５の前面には凹部１２が形成される。側板７は、背板５の両端部に接続される。側板７は、背板５の両端部に対して蝶番９で接続される。すなわち、側板７は、背板５に対して回動可能である。側板７を背板５に対して回動させることで、側板７を背板５に重なるように畳むことが可能である。この際、背板５の前面には凹部１２が形成されるため、側板７を畳んだ際には、側板７が凹部１２に収容される。【選択図】図２
2020099582.tif 000002
【特許請求の範囲】
【請求項１】
遊技機島の端部に設置可能な部屋であって、
背板と、
前記背板の両端部に設けられる一対の側板と、
前記背板および前記側板で囲まれた領域の上方を塞ぐ天井部と、
を具備し、
前記背板または前記側板の一部が、遊技場の壁または遊技機島の妻板で構成されることを
特徴とする部屋。
【請求項２】
請求項１記載の前記部屋が、遊技機島に設置された喫煙ブースであり、
前記背板、前記側板および前記天井部で囲まれた空間が喫煙領域であり、前記喫煙領域は、内部を排煙する排煙装置と接続されることを特徴とする喫煙ブース付遊技機島。
【請求項３】
前記側板の少なくとも一部が、前記背板に対して回動可能であり、前記側板を前記背板に重なるように畳むことが可能であることを特徴とする請求項２に記載の喫煙ブース付遊技機島。
【請求項４】
前記背板の端部近傍には、前面に突出する保護部が形成され、前記側板を畳んだ際には、前記側板が、前記保護部の内部に収容されることを特徴とする請求項３に記載の喫煙ブース付遊技機島。
【請求項５】
前記喫煙領域の内部の人を検知するセンサを有し、前記センサによって、前記排煙装置の動作が制御されることを特徴とする請求項２から請求項４のいずれかに記載の喫煙ブース付遊技機島。
【請求項６】
前記側板の端部には、前記背板とほぼ平行な前板が形成され、
前記前板は、前記側板に対して回動可能であり、前記前板を前記側板に重なるように畳むことが可能であることを特徴とする請求項２から請求項５のいずれかに記載の喫煙ブース付遊技機島。
【請求項７】
前記天井部が、前記背板に対して回動可能またはスライド可能であり、前記喫煙領域の上方を開放可能であることを特徴とする請求項２から請求項６のいずれかに記載の喫煙ブース付遊技機島。
【発明の詳細な説明】
【技術分野】
【０００１】
本発明は、遊技場において、遊技機島の端部に喫煙ブースが配置された喫煙ブース付遊技機島、これが配置された遊技場及び部屋に関するものである。
【背景技術】
【０００２】
遊技場には、パチンコ機やパチスロ機などの遊技機が複数配設された遊技機島が形成される。遊技機島では、それぞれの遊技機に遊技者が着席して遊技を行う。この際、従来は、各遊技機において灰皿などが配置され、遊技者は遊技を行いながら喫煙を行うことができた。
【０００３】
しかし、近年、分煙化の要求が高まっており、遊技場においても各遊技機で喫煙を行うのではなく、別途遊技場に設置された喫煙ブース内で喫煙を行う検討が進められている。
【０００４】
このような、喫煙ブースとしては、室内の他の空間に対して仕切りを設け、内部空間を排煙装置で排煙することで、喫煙ブース内の煙が室内へ流出することを防ぐものが一般的である。従来の喫煙ブースは、完全に周囲と隔離された空間だけではなく、その一部が開口しているものがある。この場合でも、排煙装置の排煙能力が十分に高く、開口部における喫煙ブースの外部から内部に向かう風速が所定以上であれば、内部の煙が外部へ流出することを防ぐことができる(例えば、特許文献1〜５参照)。
【先行技術文献】
【特許文献】
【０００５】
【特許文献１】特開平５−２８７８２５号公報
【特許文献２】特開２００３−６４８１４号公報
【特許文献３】特開２００５−２２０６９２号公報
【特許文献４】特開２０１０−１５０７５９号公報
【特許文献５】実用新案登録第３１８３４６６号公報
【発明の概要】
【発明が解決しようとする課題】
【０００６】
しかし、遊技場に喫煙ブースを設置しようとすると、その場所が問題となる。そもそも、十分な余剰スペースがない場合には、所定の遊技者を収容可能なサイズの喫煙ブースを設置することが困難である。また、仮に、遊技場の一角に喫煙ブースを設置できたとしても、遊技者にとっては、自身が遊技する遊技台からあまり離れた位置に移動するのは困難である。
【０００７】
これに対し、通常、遊技機島の間には、遊技者等が歩行可能な通路が形成されている。例えば、遊技機島の端部と他の遊技機島の端部との間には、隙間が形成され、遊技者等が歩行可能である。従来は、この通路に計数機などが配置されていたが、この通路を利用して、例えば、それぞれの遊技機島ごとに小さな喫煙ブースをそれぞれ配置することで、遊技者は、自身の遊技する遊技台の近くで喫煙を行うことができる。また、喫煙場所が、遊技機島ごとに分散されるため、一つの喫煙ブースを小さくすることができる。
【０００８】
しかし、通路に喫煙ブースを設置すると、通路が狭くなるため、遊技者等の歩行の妨げとなる。特に、開店直後や閉店間際においては、一度に多くの遊技者が歩行するため、通路が狭くなることで、歩行がし難くなる。また、遊技場には遊技球や遊技メダルなどが床に落ちる場合があり、閉店後のこれらの回収や清掃の際にも、喫煙ブースが作業の妨げとなる。
【０００９】
本発明は、このような問題に鑑みてなされたもので、遊技場に効率よく設置することが可能であり、遊技者の歩行や遊技場の清掃等の妨げとなることを抑制することが可能な喫煙ブース付遊技機島、これが配置された遊技場及び部屋を提供することを目的とする。
【課題を解決するための手段】
【００１０】
前述した目的を達するために第１の発明は、遊技機島の端部に設置可能な部屋であって、背板と、前記背板の両端部に設けられる一対の側板と、前記背板および前記側板で囲まれた領域の上方を塞ぐ天井部と、を具備し、前記背板または前記側板の一部が、遊技場の壁または遊技機島の妻板で構成されることを特徴とする部屋。である。
【００１１】
遊技場の壁や遊技機島の妻板を利用して、部屋の側板または背板が構成されているため、妻板等の表にさらに背板等を設置する場合と比較して、狭いところにもコンパクトに設置が可能である。このため、遊技場に効率よく設置することが可能であり、遊技者の歩行や遊技場の清掃等の妨げとなることを抑制することが可能である。
【００１２】
第２の発明は、第１の発明にかかる前記部屋が、遊技機島に設置された喫煙ブースであり、前記背板、前記側板および前記天井部で囲まれた空間が喫煙領域であり、前記喫煙領域は、内部を排煙する排煙装置と接続されることを特徴とする喫煙ブース付遊技機島である。
【００１３】
前記側板の少なくとも一部が、前記背板に対して回動可能であり、前記側板を前記背板に重なるように畳むことが可能であることが望ましい。
【００１４】
前記背板の端部近傍には、前面に突出する保護部が形成され、前記側板を畳んだ際には、前記側板が、前記保護部の内部に収容されることが望ましい。
【００１５】
前記喫煙領域の内部の人を検知するセンサを有し、前記センサによって、前記排煙装置の動作が制御されることが望ましい。
【００１６】
この場合、前記センサによって内部に人がいることを検知したことを表示する表示部を有し、遊技機島から前記表示部を視認可能であってもよい。
【００１７】
前記側板の端部には、前記背板とほぼ平行な前板が形成され、前記前板は、前記側板に対して回動可能であり、前記前板を前記側板に重なるように畳むことが可能であってもよい。
【００１８】
前記天井部が、前記背板に対して回動可能またはスライド可能であり、前記喫煙領域の上方を開放可能であってもよい。
【００１９】
第２の発明によれば、コンパクトな喫煙ブースを得ることができる。
【００２０】
また、必要に応じて側板が畳むことができ、例えば、遊技場における通路に設置しても、通路を広く使用したい場合には、側板を折り畳むことで、喫煙ブースが歩行者の邪魔になることがない。
【００２１】
また、背板の端部近傍に、前面に突出する保護部を形成し、側板を保護部に収容可能とすることで、折り畳んだ状態の側板が通路側にはみ出すことを抑制し、側板を保護することができるとともに、歩行者が側板に接触することを抑制することができる。
【００２２】
また、喫煙領域の内部の人を検知するセンサによって排煙装置を制御することで、効率よく喫煙ブース内を排煙することができる。
【００２３】
また、側板の端部に前板を形成することで、喫煙ブースの開口部を小さくすることができる。このため、より効率よく喫煙ブース内の煙が外部に漏れることを抑制することができる。この際、前板を側板に対して回動可能とすることで、側板とともに前板も畳むことができ、喫煙ブースを折り畳んだ際に通路を確保することができる。
【００２４】
また、天井部を背板に対して回動可能またはスライド可能として、喫煙領域の上方を開放可能とすることで、使用時以外には、通路の上方を塞ぐものを撤去して、通路を広く明るく使用することができる。
【００２５】
第３の発明は、第２の発明にかかる喫煙ブース付遊技機島の前記喫煙ブースが、前記遊技機場の通路に面して配置されることを特徴とする遊技場である。
【００２６】
第３の発明によれば、遊技機島から近い場所に喫煙ブースを設置することで、遊技者が容易に喫煙ブースを利用することができ、また、必要な時には喫煙ブースを折り畳んで通路を確保することで、遊技者等の邪魔になることを抑制することができる。
【発明の効果】
【００２７】
本発明によれば、遊技場に効率よく設置することが可能であり、遊技者の歩行や遊技場の清掃等の妨げとなることを抑制することが可能な喫煙ブース付遊技機島、これが配置された遊技場及び部屋を提供することができる。
【図面の簡単な説明】
【００２８】
【図１】遊技機島１ｂを示す概略斜視図。
【図２】遊技機島１を示す概略斜視図。
【図３】（ａ）は、喫煙ブース３を示す平面図、（ｂ）は、（ａ）に対して側板７を折り畳んだ状態を示す平面図。
【図４】側板７を折り畳んだ状態の遊技機島１を示す斜視図。
【図５】（ａ）は、喫煙ブース３ａを示す平面図、（ｂ）は、（ａ）に対して側板７を折り畳んだ状態を示す平面図。
【図６】遊技機島１ｃを示す概略斜視図。
【図７】遊技機島１ｄを示す概略斜視図。
【図８】側板７及び天井部１１を折り畳んだ状態の遊技機島１ｄを示す概略斜視図。
【図９】（ａ）は、喫煙ブース３ｄの天井部１１を折り畳んだ状態を示す図、（ｂ）は、喫煙ブース３ｅの天井部１１をスライド移動させた状態を示す図。
【発明を実施するための形態】
【００２９】
以下、図面を参照しながら、本発明の第１の実施形態について説明する。図１は、遊技機島１ｂを示す概略斜視図である。遊技機島１ｂには、複数の遊技機２が併設される。本発明における遊技機島１ｂは、パチンコ島であってもよく、スロット島であってもよい。
【００３０】
なお、遊技機２の上方や下方に配置され、遊技球などの遊技媒体を搬送する搬送路は図示を省略する。また、遊技機島１ｂは、図示した例には限られず、遊技機２の配置や台数、その他構成の配置などは、適宜変更することができる。
【００３１】
遊技機島１ｂの端部には、喫煙ブース３ｂが配置される。なお、通常、遊技機島１ｂの端部側には、遊技場の入り口やカウンター、他の遊技機島等との間に通路１８が形成され、遊技者や店員が歩行可能である。すなわち、喫煙ブース３ｂは、遊技機島１ｂの端部に位置する通路１８に面して配置され、喫煙ブース３ｂは、従来の通路１８の一部を塞ぐようにして設置される。
【００３２】
喫煙ブース３ｂは、主に、背板５、側板７、天井部１１等から構成される。背板５の両端部には、それぞれ一対の側板７が、互いに対向するように配置される。通常、遊技機島１ｂの端部には、妻板が設置される。本実施形態では、妻板が喫煙ブース３ｂの一方の側板７を兼ねる。すなわち、本実施形態では、喫煙ブース３ｂは、遊技機島１ｂの一部として一体で構成され、喫煙ブース付遊技機島を構成する。なお、この場合には、妻板を利用する一方の側板７は、不透明な材質で構成される。
【００３３】
他方の側板７及び背板５は、例えば中が視認可能なように、透明の材料（ガラスや樹脂）で構成される。このようにすることで、通路１８から、容易に喫煙ブース３ｂの内部の様子を確認することができる。
【００３４】
なお、妻板で構成される一方の側板７は、他方の側板７及び背板５に対して剛性の高い材質で構成される。例えば、一方の側板７は遊技機島１ｂの妻板を兼ねるため、一方の側板７を不透明にすることで、遊技機島１ｂの内部を隠すことができるとともに、遊技機島１ｂで遊技する遊技者に対する喫煙ブース３ｂ内部の人からの視線を遮ることができる。また、一方の側板７には防音材を配置してもよい。
【００３５】
背板５及び側板７で囲まれた領域の上方を塞ぐように、天井部１１が設けられる。なお、図示したように、天井部１１の前端部（背板５とは逆側を前方とする）に、背板５と対向する側の開口部の上方の一部を塞ぐように、背板５と略平行に吊り板１０を配置してもよい。また、天井部１１をビニール等のカバーで構成してもよい。
【００３６】
背板５、側板７および天井部１１で囲まれた空間が喫煙領域１７となり、他の空間と仕切られる。喫煙ブース３ｂの喫煙領域１７内部には灰皿が設置される。天井部１１の上部には、排煙装置１３と図示を省略したダクトが接続される。なお、排煙装置１３は、天井部１１上に設置されるのではなく、離れた位置に配置され、天井部１１にはダクトのみが接続されてもよい。すなわち、喫煙領域１７には、直接またはダクトを介して内部を排煙する排煙装置１３が接続されればよい。また、排煙口を天井部１１に設けるのではなく、一方の側板７（妻板）に配置してもよい。特に、天井部１１をビニール等のカバーで構成した場合には、排煙装置１３または排煙装置１３に接続されるダクトを一方の側板７（妻板）に配置することが望ましい。なお、ダクトは屋外と接続され、屋外へ排気される。
【００３７】
また、喫煙ブース３ｂの一部には、図示を省略したセンサが配置されてもよい。センサは、喫煙領域１７の内部の人を検知可能である。このように、センサを配置することで、排煙装置１３の動作を制御することができる。例えば、センサで人を検知すると、排煙装置１３が作動し、人がいなくなって所定時間後に自動で排煙装置１３が停止するようにしてもよい。
【００３８】
天井部１１の通路１８側（遊技機島１ｂとは逆側）の両端部近傍には、表示部１５が配置される。表示部１５は、遊技機島１ｂにおける情報を表示する複数のランプからなる。例えば、各遊技機２で呼び出しボタンが押された際や、エラー等が発生した場合、さらに、遊技機２で大当たりが発生した際などに、その内容に応じた色のランプが点灯して、店員等へ知らせることができる。なお、従来は、表示部１５は妻板に設置されるが、天井部１１の端部に配置することで、通路からの視認性をより高めることができる。
【００３９】
また、表示部１５において、前述したセンサによって喫煙領域１７に人が検知された際にランプを点灯させてもよい。すなわち、センサによって内部に人がいることを検知すると、通常の遊技情報等を表示する表示部１５にその旨を表示し、遊技機島１ｂから表示部１５を視認可能とすることで、遊技者は席を立たずに、喫煙ブース３ｂが空いているかどうかを知ることができる。
【００４０】
以上説明したように、本実施形態によれば、遊技機島１ｂの端部において、通路１８に面するように喫煙ブース３ｂを配置することで、遊技者が、自身が遊技する遊技機２から遠く離れることなく、少ない移動距離で喫煙を行うことができる。また、遊技者は、喫煙中に、自身が遊技中の遊技機２を確認することもできる。
【００４１】
また、一方の側板７が遊技機島１ｂの妻板を兼ねるようにすることで、妻板の前面に別途側板７を配置する場合と比較して、喫煙ブース３ｂをコンパクトにすることができる。このため、通路１８が狭くなることを抑制することができる。
【００４２】
また、天井部１１の前端部に、各遊技機島１ｂの状況を表示する表示部１５を配置することで、通路１８に対して、表示部１５を張り出した位置に配置することができ、表示部１５の視認性が良好である。
【００４３】
また、喫煙ブース３ｂにセンサを設置し、喫煙ブース３ｂに人がいるときに排煙装置１３を稼働させることで、効率よく煙草の煙を排出することができる。この際、喫煙ブース３ｂに人がいるかどうかを表示部１５に表示することで、遊技者は、容易に喫煙ブース３ｂが空いているかどうかを把握することができる。
【００４４】
次に、第２の実施形態について説明する。図２は、第２の実施形態にかかる遊技機島１（喫煙ブース３）の斜視図である。なお、以下の説明において、第１の実施形態と同様の機能を奏する構成については、図１と同一の符号を付し、重複する説明を省略する。
【００４５】
喫煙ブース３は、喫煙ブース３ｂとほぼ同様の構成であるが、喫煙ブース３の開口部の向きが異なる。喫煙ブース３は、妻板が喫煙ブース３の背板５を兼ねる。すなわち、喫煙ブース３も喫煙ブース３ｂと同様に、遊技機島１の一部として一体で構成され、喫煙ブース付遊技機島を構成する。なお、この場合には、妻板を利用する背板５は、不透明な材質で構成され、側板７は、例えば中が視認可能なように、透明の材料（ガラスや樹脂）で構成される。
【００４６】
次に、喫煙ブース３についてより詳細に説明する。図３（ａ）は、天井部１１を透視した喫煙ブース３の平面図である。背板５の両端部には、開口部側に向かって突出する保護部８が設けられる。すなわち、開口部側から見て、保護部８の間が凹部１２となる。なお、保護部８は、背板５の一部として形成されてもよく、側板７の一部で保護部８を構成してもよい。
【００４７】
前述したように、側板７は、背板５の両端部に接続される。すなわち、側板７が、背板５の両端部の保護部８に接続される。側板７は、背板５の両端部に対して蝶番９で接続される。すなわち、側板７は、背板５に対して回動可能である。なお、側板７の全体が回動するのではなく、側板７の一部（例えば前端側の一部）のみが回動可能であってもよい。すなわち、側板７の少なくとも一部が、背板５に対して回動する。また、図３（ａ）に示すように、側板７を開いた状態において、図示を省略したストッパなどによって、側板７が固定される。
【００４８】
図３（ｂ）は、側板７を背板５に対して回動させた状態を示す図であり、図４は図３（ｂ）の状態の喫煙ブース３等の斜視図である。側板７を背板５に対して回動させることで（図中矢印Ａ）、側板７を背板５に重なるように畳むことが可能である。
【００４９】
この際、前述したように、背板５の前面には凹部１２が形成されるため、側板７を畳んだ際には、側板７が保護部８の間の凹部１２に収容される。このようにすることで、折り畳んだ側板７が保護部８から前方にはみ出すことがない。なお、図３（ｂ）に示すように、側板７を折り畳んだ状態において、図示を省略したストッパなどによって、側板７が固定される。
【００５０】
以上説明したように、第２の実施形態によれば、第１の実施形態と同様の効果を得ることができる。また、側板７を折り畳むことができるため、喫煙ブース３の使用時以外は側板７を折り畳んで、通路１８を広くとることができる。例えば、開店直後や閉店間際など、多くの遊技者が一斉に移動するような場合や、閉店後の遊技場の清掃時等には、喫煙ブース３を折り畳んで置くことで、通路１８を広く確保することができる。また、開店中の所定の時間にのみ喫煙ブース３を開放することで、遊技者は喫煙ブース３を利用することができる。
【００５１】
また、背板５の前面に保護部８（凹部１２）を形成し、側板７を折り畳む際には、保護部８の間に収まるようにすることで、側板７を折り畳んだ際に、側板７が保護部８から通路１８側に突出して、通行人等や清掃作業の邪魔になることを抑制することができる。特に、側板７は、回動させるために、重量が軽いことが望ましい。このため、背板５に対して薄い材質で構成される場合があるが、保護部８の間に側板７を収容することで、側板７を保護することができ、通行人が側板７に接触して、側板７が破損することを抑制することができる。
【００５２】
次に、第３の実施形態について説明する。図５（ａ）は、第３の実施形態にかかる遊技機島１ａ（喫煙ブース３ａ）の平面図（天井部の図示を省略する）である。
【００５３】
第３の実施形態にかかる遊技機島１ａは、端部に喫煙ブース３ａが配置される。喫煙ブース３ａは、喫煙ブース３とほぼ同様の構成であるが、側板７の前端部に、さらに前板１９が配置される点で異なる。
【００５４】
前板１９は、側板７の端部において、背板５と対向するように、ほぼ平行に形成される。すなわち、前板１９は、喫煙領域１７の開口部の少なくとも一部を塞ぐものである。なお、図示した例では、前板１９は、側板７の両方に配置されているが、一方のみであってもよい。また、前板１９は、図示したように、側板７よりも幅が狭くてもよく、または、前板１９によって、側板７の前方の開口部を完全に塞いでもよい。また、前板１９に、別途扉を設けてもよい。
【００５５】
前板１９は、例えば、内部を視認可能な透明な材質で構成され、側板７と同一の材料で構成される。前板１９と側板７とは蝶番９を介して接合される。すなわち、前板１９は、側板７に対して回動可能である。なお、図５（ａ）に示すように、側板７及び前板１９を開いた状態において、図示を省略したストッパなどによって、側板７及び前板１９が固定される。
【００５６】
図５（ｂ）は、側板７及び前板１９を背板５に対して回動させた状態を示す図である。前述したように、前板１９は側板７に対して蝶番９を介して接続される。このため、前板１９を折り畳むことで、前板１９を側板７に対して重なるように回動させることができる。
【００５７】
さらに、前板１９と側板７を背板５に対して回動させることで（図中矢印Ｂ）、側板７及び前板１９を背板５に重なるように畳むことが可能である。この際、前述したように、背板５の前面には保護部８（凹部１２）が形成されるため、側板７及び前板１９を畳んだ際には、側板７及び前板１９が保護部８の間に収容される。このようにすることで、折り畳んだ側板７及び前板１９が保護部８から前方にはみ出すことがない。なお、図５（ｂ）に示すように、側板７及び前板１９を折り畳んだ状態において、図示を省略したストッパなどによって、側板７及び前板１９が固定される。
【００５８】
以上、第３の実施形態によれば、第１の実施形態等と同様の効果を得ることができる。また、前板１９を配置することで、喫煙領域１７の開口面積を減らすことができ、開口部における外部から内部への風速を向上させることができる。このため、排煙装置１３の能力を落として小型化しても、喫煙領域１７内の煙が外部に漏れ出すことを抑制することができる。
【００５９】
また、前板１９を側板７に重ね合わせて折り畳むことができるため、喫煙ブース３ａを使用しないときには、通路１８を広くとることができる。
【００６０】
次に、第４の実施形態について説明する。図６は、第４の実施形態にかかる遊技機島１ｃ（喫煙ブース３ｃ）の斜視図である。第４の実施形態にかかる遊技機島１ｃは、例えば壁面に沿って配置される。また、遊技機島１ｃの間には隙間が形成され、壁遊技機島１ｃの端部同士の間に喫煙ブース３ｃが配置される。
【００６１】
喫煙ブース３ｃは、両側の遊技機島１ｃの妻板が、それぞれ側板７を兼ねる。また、壁面が背板５を兼ねてもよい。なお、この場合には、側板７の一部を不透明にして、喫煙ブース３ｃ内の人と遊技者との視線を遮ってもよい。
【００６２】
以上、第４の実施形態によれば、第１の実施形態等と同様の効果を得ることができる。このように、喫煙ブースは、両面に遊技台が背合わせで配置される両面島ではなく、壁面に配置される壁島にも適用することができる。
【００６３】
次に、第５の実施形態について説明する。図７は、第５の実施形態にかかる遊技機島１ｄ（喫煙ブース３ｄ）の斜視図である。第５の実施形態にかかる遊技機島１ｄは、天井部１１の構成が異なる。喫煙ブース３ｄの天井部は、折り畳みが可能である。
【００６４】
図８は、天井部１１と側板７を折り畳んだ状態を示す斜視図であり、図９（ａ）は、断面図である。天井部１１は、背板７に対して蝶番９によって取り付けられる。したがって、天井部１１を背板５とほぼ平行になるように折り畳むことができる（図９（ａ）のＣ方向）。なお、この場合でも、天井部１１及び側板７が保護部８の間に収容される。
【００６５】
なお、図７、図８に示すように、開いた状態と閉じた状態の両方について、図示を省略したストッパで固定可能である。また、この場合には、排煙装置１３は、背板５の背面に取り付けられる。
【００６６】
以上、第５の実施形態によれば、第１の実施形態等と同様の効果を得ることができる。また、天井部１１を折り畳むことができるため、使用時以外は、通路１８の上部を覆う部分をなくすことができる。このため、使用時以外には、通路を広く明るく使用することができる。
【００６７】
なお、図９（ｂ）に示す喫煙ブース３ｅのように、天井部１１を背板５の後方にスライド移動させてもよい（図中矢印Ｄ）。このようにしても、天井部１１を収納することができる。なお、この場合には、天井部１１の一部が遊技機島１ｄの側に張り出すが、通路等の邪魔になることはない。
【００６８】
以上のように、遊技機島の端部に喫煙ブース３、３ａ、３ｂ、３ｃ、３ｄ、３ｅが配置された喫煙ブース付遊技機島が設置された遊技場では、遊技者にとって喫煙ブースを利用しやすく、特に、喫煙ブース３、３ａ、３ｃ、３ｄ、３ｅは、必要時には、遊技場における通路１８を広く確保して、歩行や清掃作業等を行うことが容易となる。
【００６９】
なお、前述した実施例は、全て遊技場における喫煙ブースの例を示したが、他の目的で用いることもできる。すなわち、背板５、側板７、前板１９及び天井部１１からなる部屋として使用することもできる。この場合には、排煙装置１３は必ずしも必要ではない。例えば、電話ボックスのような小さな部屋に適用することができる。この場合でも、必要時以外には、側板等を折り畳むことで、スペースを有効に使用することができる。
【００７０】
以上、添付図を参照しながら、本発明の実施の形態を説明したが、本発明の技術的範囲は、前述した実施の形態に左右されない。当業者であれば、特許請求の範囲に記載された技術的思想の範疇内において各種の変更例または修正例に想到し得ることは明らかであり、それらについても当然に本発明の技術的範囲に属するものと了解される。
【００７１】
例えば、各実施形態は組みわせることができることは言うまでもない。例えば、第５の実施形態のように、天井部１１を移動可能とする構成を、他の実施形態に適用してもよい。
【符号の説明】
【００７２】
１、１ａ、１ｂ、１ｄ、１ｄ………遊技機島
２………遊技機
３、３ａ、３ｂ、３ｄ、３ｄ、３ｅ………喫煙ブース
５………背板
７………側板
８………保護部
９………蝶番
１０………吊り板
１１………天井部
１２………凹部
１３………排煙装置
１５………表示部
１７………喫煙領域
１９………前板
【図１】
2020099582.tif 000003
【図２】
2020099582.tif 000004
【図３】
2020099582.tif 000005
【図４】
2020099582.tif 000006
【図５】
2020099582.tif 000007
【図６】
2020099582.tif 000008
【図７】
2020099582.tif 000009
【図８】
2020099582.tif 000010
【図９】
2020099582.tif 000011